(57)【特許請求の範囲】
【請求項１】
戸袋部と、
前記戸袋部に対して出入する扉部と、
を備え、
前記戸袋部及び前記扉部の少なくともいずれか一方は、互いに直交する二つの棒状部材が第１の締結手段及び前記第１の締結手段による結合力を補う第１の固定手段によって一体化された枠材と、前記枠材の内側全周に沿って設置される補強材とを有し、
前記枠材と前記補強材は、第２の締結手段及び前記第２の締結手段による結合力を補う第２の固定手段によって一体化されるプラットホームドア装置。
【請求項２】
前記第１の固定手段又は前記第２の固定手段は、接着又は摩擦攪拌接合によって固定を行う請求項１に記載のプラットホームドア装置。
【請求項３】
接着又は摩擦攪拌接合によって、前記枠材又は前記補強材に固定される面材を有する請求項１に記載のプラットホームドア装置。
【請求項４】
接着によって、前記枠材又は前記補強材に固定される合成樹脂製の面材を有する請求項１に記載のプラットホームドア装置。
【請求項５】
前記合成樹脂製の面材は、透明である請求項４に記載のプラットホームドア装置。
【請求項６】
前記補強材は、２以上の部材によって構成される請求項１に記載のプットホームドア装置。
【発明の詳細な説明】
【技術分野】
【０００１】
本発明は、プラットホームに設置されるプラットホームドア装置に関するものである。
【背景技術】
【０００２】
乗客の転落などを防止するためにプラットホームに設置されるプラットホームドア装置は、戸袋部と扉部からなり、戸袋部と扉部を構成する部材が鋼材であることが一般的である。また、各部材は、それぞれ溶接によって接合される。
【０００３】
特許文献１では、扉体のフレーム材が、アルミニウム又はアルミニウム合金からなる中空状の押出し材によって構成され、戸袋体が、ケーシングと、ケーシングに支持される基台に、扉体を駆動するためのモータと、扉体を案内するリニアレールが支持されるホームドア装置が開示されている。
【先行技術文献】
【特許文献】
【０００４】
【特許文献１】特開２００９−２３４３７３号公報
【発明の概要】
【発明が解決しようとする課題】
【０００５】
従来、プラットホームドア装置の戸袋部と扉部を構成する部材は、鋼材であって、溶接接合されることから、重量が比較的重く、溶接に手間がかかるため、製作、組立や据付の工数が多かった。また、装置全体が重くなるため、プラットホームへ戸袋部を据え付けるための据付基礎に使用するボルトの強度を強くする必要があった。
【０００６】
更に、既設のプラットホームによっては、プラットホームドア装置の重量に耐え得るように、補強工事が必要となり、プラットホームドア装置の設置に多額の費用がかかる場合があった。また更に、扉部が戸袋部に対して出入する機構において、扉部がスムーズに移動できることが望ましい。
【０００７】
また、プラットホームドア装置は、プラットホーム上の乗客や荷物等による積載荷重や、列車の走行による風圧、振動などに耐え得る強度を有する必要がある。
【０００８】
本発明は、このような事情に鑑みてなされたものであって、装置全体の軽量化を図りつつ、強度や耐久性を確保することが可能なプラットホームドア装置を提供することを目的とする。
【課題を解決するための手段】
【０００９】
上記課題を解決するために、本発明のプラットホームドア装置は以下の手段を採用する。
すなわち、本発明に係るプラットホームドア装置は、プラットホームに設置された戸袋部と、戸袋部に対して出入する扉部とを備え、戸袋部及び扉部の少なくともいずれか一方は、互いに直交する二つの棒状部材が締結手段及び締結手段による結合力を補う固定手段によって一体化された枠材を有する。
【００１０】
この発明によれば、戸袋部及び扉部の少なくともいずれか一方は、枠材を有しており、枠材は、互いに直交する二つの棒状部材を含む。そして、二つの棒状部材が、締結手段及び締結手段による結合力を補う固定手段によって一体化されていることから、戸袋部や扉部において、緩みや位置ずれが生じにくい構造が実現される。
【００１１】
例えば、互いに直交する二つの棒状部材が、締結手段のみによって一体化される場合では、扉部の移動や風圧などによって生じる振動などを原因として緩みや位置ずれが生じやすいところ、締結手段による結合力を補う固定手段を用いることによって、締結手段において緩みや位置ずれが生じた場合でも、互いに直交する二つの棒状部材は、両者が一体化した構造を維持できる。なお、締結手段とは、例えばボルト、リベット等によって、異なる二つの部材を挟み込んで結合する手段である。また、固定手段は、締結手段による結合とは異なる結合方法を実現するものであり、締結手段を含まない。
【００１２】
上記発明において、枠材の内側全周に沿って設置される補強材を有し、枠材と補強材は、締結手段及び締結手段による結合力を補う固定手段によって一体化されてもよい。
【００１３】
この発明によれば、補強材が、枠材の内側全周に沿って設置されることから、枠材の剛性を高めることができる。また、枠材と補強材が、締結手段及び締結手段による結合力を補う固定手段によって一体化されていることから、戸袋部や扉部において、緩みや位置ずれが生じにくい構造が実現される。
【００１４】
上記発明において、固定手段は、接着又は摩擦攪拌接合によって固定を行ってもよい。
【００１５】
この発明によれば、接着又は摩擦攪拌接合（ＦＳＷ）によって、枠材における二つの棒状部材の固定、又は枠材と補強材の固定が行われることから、ゆがみを生じさせずに、戸袋部や扉部を形成できる。特に、接着によれば、部材同士を容易に接合でき、製作や据付が迅速に行われる。
【００１６】
上記発明において、接着又は摩擦攪拌接合によって、枠材又は補強材に固定される面材を有してもよい。
【００１７】
この発明によれば、面材が、枠材又は補強材に固定されることから、枠材の剛性を高めることができる。また、接着又は摩擦攪拌接合（ＦＳＷ）によって、面材と枠材の固定、又は面材と補強材の固定が行われることから、ゆがみを生じさせずに、戸袋部や扉部を形成できる。特に、接着によれば、部材同士を容易に接合でき、製作や据付が迅速に行われる。
【００１８】
上記発明において、接着によって、枠材又は補強材に固定される合成樹脂製の面材を有してもよい。
【００１９】
この発明によれば、面材が、枠材又は補強材に固定されることから、枠材の剛性を高めることができる。また、面材に合成樹脂製の部材が用いられることから、装置全体の軽量化を図ることができる。なお、合成樹脂として、ポリカーボネートを使用した場合は、軽量化に加えて、耐衝撃性などの高い強度を得ることもできる。
【００２０】
上記発明において、合成樹脂製の面材は、透明であってもよい。
この発明によれば、枠材又は補強材に固定される面材が透明であることから、軽量化を図りつつ、従来のプラットホームドア装置におけるガラス材のように、透過効果を得ることができ、プラットホームにおける安全性を向上させることができる。
【００２１】
上記発明において、補強材は、２以上の部材によって構成されてもよい。
この発明によれば、補強材を枠材の内側全周に沿って取り付ける際に、補強材を分割した状態で搬入することができ、１の部材によって構成される場合に比べて取り扱いやすいことから、補強材の設置が容易になる。
【発明の効果】
【００２２】
本発明によれば、装置全体の軽量化を図りつつ、強度や耐久性を確保することができる。
【図面の簡単な説明】
【００２３】
【図１】本発明の第１実施形態に係るプラットホームドア装置を示す縦断面図である。
【図２】同実施形態に係るプラットホームドア装置を示す横断面図である。
【図３】同実施形態に係るプラットホームドア装置を示す縦断面図である。
【図４】同実施形態に係るプラットホームドア装置を示す正面図である。
【図５】同実施形態に係るプラットホームドア装置の扉横枠材、補強材及び扉面材の接合部分を示す断面図である。
【図６】同実施形態に係るプラットホームドア装置の扉横枠材、補強材及び扉面材の接合部分の変形例を示す断面図である。
【図７】図１のＢ−Ｂ線で切断した断面図である。
【図８】本発明の第２実施形態に係るプラットホームドア装置を示す縦断面図である。
【図９】同実施形態に係るプラットホームドア装置を示す横断面図である。
【発明を実施するための形態】
【００２４】
以下、本発明の第１実施形態に係るプラットホームドア装置１について、図１〜図３を用いて説明する。
【００２５】
図４は、プラットホーム３２の内側から見たプラットホームドア装置１の設置状況を示しており、プラットホームドア装置１が閉鎖した状態を示す。図１は、図２のＣ−Ｃ線で切断した断面図であり、プラットホームドア装置１のうち、図４で示した扉部２の扉面材１２及び戸袋部３の戸袋面材２６を取り外した状態を示す。なお、図１及び図２は、扉部２が戸袋部３から出て、プラットホームドア装置１が閉鎖している状態を示し、図３は、扉部２が戸袋部３に収容されて、プラットホームドア装置１が開いている状態を示す。図１〜図４に示すプラットホームドア装置１は、左右対称に設置されて、プラットホーム３２上で扉部２が両側に開閉するように設置されてもよいし、１台のプラットホーム装置１によって片側にのみ開閉するように設置されてもよい。
【００２６】
プラットホームドア装置１は、腰高式のホームドアであり、プラットホーム３２上の設置面から天板１８の上端まで約1.3m〜1.4mの高さを有する。プラットホームドア装置１は、扉部２と戸袋部３からなり、扉部２は、戸袋部３に対して出入する。
【００２７】
まず、扉部２の構成について説明する。
扉横枠材４，５と扉縦枠材６，７は、軽金属製又は軽合金製、例えばアルミニウム製又はアルミニウム合金製の棒状部材であり、例えば押し出し加工によって形成される。扉横枠材４，５と扉縦枠材６，７によって、枠材が構成される。
【００２８】
扉横枠材４，５と扉縦枠材６，７は、互いに直交し、ボルト３３と接着材によって結合され、一体化された枠材が構成される。ボルト３３は、例えば図１にて略記号で示す方向に、枠材の外側から内側へ挿入されて、両部材が互いに締結される。なお、図１では、ボルト３３の略記号は、扉横枠材４，５と扉縦枠材６，７の表面に記されているが、実際には、ボルト３３は、扉横枠材４，５と扉縦枠材７の断面中心付近に挿入される。接着材は、図１に示す例では、扉横枠材４，５、扉縦枠材７の端面と、扉横枠材４，５、扉縦枠材６の側面が接触して結合される部分に塗布され、両部材が互いに接合される。
【００２９】
上記枠材では、扉横枠材４，５と、扉縦枠材６，７が、ボルト３３による結合及びボルト３３による結合力を補う接着材によって一体化されていることから、戸袋部３や扉部２において、緩みや位置ずれが生じにくい構造が実現される。
【００３０】
例えば、互いに直交する扉横枠材４，５と扉縦枠材６，７が、ボルト３３による結合のみによって一体化される場合では、扉部２の移動や風圧などによって生じる振動などによって、ボルト３３が緩んだり、ボルト３３を受ける穴が広がったりといった原因によって、部材間の緩みや位置ずれが生じやすい。一方、接着材を用いることによって、ボルト３３による結合力を補うことができ、ボルト３３の緩みや位置ずれが生じた場合でも、扉横枠材４，５と扉縦枠材６，７は、両者が一体化した構造を維持できる。
【００３１】
なお、扉横枠材４，５と扉縦枠材６，７の結合において、ボルト３３の代わりにリベット等による他の締結手段を適用してもよい。締結手段は、異なる二つの部材を結合する手段である。また、締結手段と併用して適用される接着材の代わりに、摩擦攪拌接合（ＦＳＷ）等による他の固定手段を適用してもよい。固定手段は、締結手段による結合とは異なる結合方法を実現するものであり、締結手段を含まない。接着材や摩擦攪拌接合といった固定手段によれば、ゆがみを生じさせずに、戸袋部３や扉部２を形成できる。特に、接着材を用いることで、部材同士を容易に接合でき、製作や据付が迅速に行われる。
【００３２】
レール８は、扉横枠材４の上端に沿って設けられ、レール９は、扉横枠材５の下端に沿って設けられる。レール８，９は，ローラ１９と接触し、扉部２がスムーズに移動できるようにする。
【００３３】
補強材１０は、扉横枠材４，５と、扉縦枠材６，７からなる枠材の内側全周に沿って設置される。補強材１０によって、枠材の剛性が確保される。扉横枠材４，５と扉縦枠材６，７が隅部分にて結合されているのみでは、剛性が小さく、戸袋部３に対する扉部２の動きが不安定になるところ、枠材の剛性が確保されることによって、扉部２が安定的かつ確実に移動できる。
【００３４】
補強材１０は、図１や図３に示すように、一つの枠材内に２以上の部材によって構成されてもよい。図１や図３の例では、補強材１０が二つの部材からなる場合であり、補強材１０は、それぞれ正面から見たときの形状がコ字形状であり、対称的に配置される。補強材１０を配置したときの形状がロ字形状になるようにすることで、扉面材１２を補強材１０に接着材で接合するときの接着面積を多く確保できる。また、枠材の内側部分が少ない部材数で構成されつつ、開口部の形状が単純になることから、扉面材１２を透明部材にしたときの扉部２の内部の見栄えを良くしたり、プラットホーム上の見通しを良くして安全性を向上させたりすることができる。更に、部材数が少ないことから、扉部２を迅速かつ容易に組み立てられる。なお、補強材１０は、それぞれの正面から見たときの形状がＬ字形状であって、四つの部材を組み合わせて配置したときの形状がロ字形状になるようにしてもよい。
【００３５】
扉面材１２は、四角形状であって、合成樹脂製、例えばポリカーボネート製である。扉面材１２は、接着材によって補強材１０に固定される。なお、扉面材１２は、枠材に固定されてもよい。扉面材１２を透明部材とすることによって、軽量化を図りつつ、従来のプラットホームドア装置におけるガラス材のように、透過効果を得ることができる。また、扉面材１２が、扉部２の枠材や補強材１０に固定されることによって、扉部２の剛性を高めることができる。なお、扉面材１２は、軽金属製又は軽合金製、例えばアルミニウム製又はアルミニウム合金製でもよい。
【００３６】
次に、戸袋部３の構成について説明する。
戸袋横枠材１３，１４と、戸袋縦枠材１５，１６は、軽金属製又は軽合金製、例えばアルミニウム製又はアルミニウム合金製の棒状部材であり、例えば押し出し加工によって形成される。戸袋横枠材１３，１４と戸袋縦枠材１５，１６は、互いに直交し、上述した扉横枠材４，５と扉縦枠材６，７の結合と同様に、ボルト３４と接着材によって結合され、一体化された枠材が構成される。そして、二つの枠材を連結枠材３７によって連結することによって、箱型の構造が得られる。戸袋縦枠材１５，１６の下端は、アジャスタ３５と脚部３８が設けられ、プラットホーム３２上に設置される。
【００３７】
戸袋横枠材１３，１４と戸袋縦枠材１５，１６の内側全周には、扉横枠材４，５と扉縦枠材６，７と同様に、補強材１０が設けられてもよい。これにより、戸袋部３の強度を向上させることができ、戸袋面材２６を補強材１０に接着材で接合するときの接着面積を多く確保できる。
【００３８】
補強横材１７は、戸袋縦枠材１５，１６それぞれの中間部にて、戸袋縦枠材１５，１６と接続される。天板１８は、戸袋横枠材１３の上端に沿って設けられる。
【００３９】
ローラ１９は、例えば、戸袋横枠材１３，１４それぞれに二つずつ設けられる。扉部２は、扉部２に対して上下に位置するローラ１９によって支持される。扉部２は、上述したとおり軽量化が図られつつ、剛性が高められていることから、ローラ１９による支持によって、扉部２をスムーズに移動させることができる。従来のプラットホームドア装置では、スライド機構として、リニアガイドを使用していたが、リニアガイドを用いるには、扉部と戸袋部の精度を高める必要があった。一方、本実施形態では、扉部２の軽量化が図られていることから、リニアガイドを用いるための精度を扉部２及び戸袋部３にて確保することなく、扉部２をローラ１９によって移動可能に支持できる。
【００４０】
基部２０は、扉縦枠材７に固定された部材であり、ベルト２３に取り付けられる。これにより、ベルト２３が移動することによって、基部２０がベルト２３の動きに合わせて移動し、扉部２全体も移動する。
【００４１】
モータ２１は、ベルト２３を駆動する駆動源である。モータ２１は、プーリ２２と接続される。また、モータ２１が設置される側とは反対側には、プーリ２４が設置される。そして、ベルト２３は、プーリ２２とプーリ２４を端部として回転する。
【００４２】
制御部２５は、扉部２の移動や停止等を制御する。制御部２５は、移動や停止等の動作命令を受けて、モータ２１へ駆動信号を送る。これにより、制御部２５によって、扉部２の移動が制御される。
【００４３】
戸袋面材２６は、四角形状であって、合成樹脂製、例えばポリカーボネート製である。戸袋面材２６が、戸袋部３の枠材に固定されることによって、戸袋部３の剛性を高めることができる。
【００４４】
扉部２は、戸袋部３に設けられた開口部３６から出入する。開口部３６は、戸袋縦枠材１５と連結枠材３７から構成される枠部分内部に形成される。
【００４５】
扉部２及び戸袋部３のいずれにも軽量部材が使用されることから、プラットホームドア装置１全体の軽量化を図ることができる。その結果、製作や据付が容易になるほか、据付場所であるプラットホーム３２の補強を低減できる。また、軽量化によって、図７に示すように、プラットホームドア装置１の下面にねじ結合によるアジャスタ３５を使用することができ、据付時において容易に高さ調整ができる。そして、アジャスタ３５による調整後、戸袋縦枠材１５，１６の側面に脚部３８を設置して、脚部３８を貫通させながら、アンカーボルト（図示せず。）をプラットホーム３２に締結する。軽量化によって、据付基礎として使用するアンカーボルトの強度も低減できる。
【００４６】
次に、図５及び図６を参照して、プラットホームドア装置１の扉横枠材５と扉面材１２の接合部分について説明する。図５は、扉部２の両面に扉面材１２を設置する場合を示しており、図６は、扉部２の片面のみに扉面材１２を設置する場合を示している。図５及び図６は、図１のＡ−Ａ線で切断した断面図である。
【００４７】
扉横枠材５は、押し出し部材であり、ナット用溝が形成されている。ナット用溝にナット２９が挿入されて、ボルト２７やワッシャー２８を使用して、補強材１０が扉横枠材５に対して固定される。ここで、補強材１０は、図５に示すように、断面がコ字形状を有する部材、又は図６に示すように、断面がＬ字形状を有する部材である。なお、補強材１０を扉横枠材５に固定する際、図５や図６に示すように接着材３１を使用する。また、扉面材１２は、補強材１０に対して接着材３０を使用して固定される。
【００４８】
このように、本実施形態の扉横枠材５と扉面材１２の接合部分によれば、従来のプラットホームドア装置における溶接構造と異なり、押し出し部材の扉横枠材５や合成樹脂製の扉面材１２、ボルト２７や接着材３０，３１を使用することで、簡易に扉部２を組み立てることができる。また、扉横枠材５と補強材１０が、ボルト２７とナット２９による結合及びボルト２７とナット２９による結合力を補う接着材によって一体化されていることから、戸袋部３や扉部２において、緩みや位置ずれが生じにくい構造が実現される。
【００４９】
なお、締結手段や固定手段として、他の方法を適用できることは、上述した扉横枠材４，５と扉縦枠材６，７における結合の場合と同様である。また、図５及び図６を参照して説明した補強材１０と扉横枠材５の関係は、他の扉横枠材４や扉縦枠材６，７にも適用できる。さらに、補強材１０と扉横枠材５の関係、補強材１０と扉面材１２の関係は、戸袋部３側の枠材や戸袋面材２６にも同様に適用できる。
【００５０】
次に、図８及び図９を参照して、本発明の第２実施形態に係るプラットホームドア装置１１について説明する。図８は、図９のＤ−Ｄ線で切断した断面図であり、扉部２の扉面材１２及び戸袋部３の戸袋面材２６を取り外した状態を示す。
【００５１】
プラットホームドア装置１１は、扉部２と、戸袋部４０と、非常用扉部４１からなる。扉部２は、後述の駆動機構を除いて、上述の構成と同様であるため、詳細な説明は省略する。
【００５２】
戸袋部４０は、上述の戸袋部３と比較して、戸袋横枠材１３，１４の長さが短く、その余りの分において、非常用扉部４１が設置される。戸袋部４０には、開口部３７が設けられ、扉部２が通過可能である。開口部３７は、戸袋縦枠材１６と連結枠材３７から構成される枠部分内部に形成される。
【００５３】
扉部２は、ラックアンドピニオンを用いた駆動機構によって、移動する。扉部２の下部には、ラック３９が移動方向に沿って設けられ、ラック３９は、モータ２１側に設けられたピニオン（図示せず。）と噛み合う。モータ２１が駆動することによって扉部２が戸袋部４０に対して出入する。なお、扉部２は、第１実施形態で説明したベルト機構で駆動するようにしてもよい。
【００５４】
非常用扉部４１の扉部分は、ヒンジ部４２を中心にしてプラットホーム３２の内側に向かって移動することによって、開状態となる（図９の２点鎖線）。非常用扉部４１は、インターロック機構によって、通常時、閉状態でロックされ開状態とならないようにされ、非常時に閉状態のロックが外れ開状態可能となる。これにより、緊急時や故障時などの非常時において、乗客は、列車側からプラットホーム３２側へ避難することができる。非常用扉部４１の扉部分は、図８に示すように、支柱部４３、天板４９に囲まれており、例えば非常用扉横枠材４４，４５、非常用扉縦枠材４６，４７、補強横材４８、補強材１０及び非常用扉面材５０などからなる。
【００５５】
以上説明したとおり、本発明の実施形態では、例えばアルミニウム製又はアルミニウム合金製の扉横枠材４，５及び扉縦枠材６，７が、接着材を使用しながら、ボルトによって互いに結合されて、扉部２が形成される。また、例えばアルミニウム製又はアルミニウム合金製の戸袋横枠材１３，１４及び戸袋縦枠材１５，１６が、接着材を使用しながら、ボルトによって互いに結合されて、戸袋部３，４０が形成される。
【００５６】
そして、アルミニウム製又はアルミニウム合金製の枠材、合成樹脂製の面材が使用されることによって、プラットホームドア装置１，１１全体の重量を軽量化することができる。その結果、プラットホームドア装置１，１１の組立、据付が容易になる。アルミニウム製又はアルミニウム合金製の枠材を採用することによって、プラットホームドア装置１の腐食防止を図ることもできる。更に、簡易な構造であることから分解し易く、一旦工場で組み立てたプラットホームドア装置１を分解して設置場所まで運搬したり、破損時に補修したりすることが容易である。また更に、軽量化が図られていることから、プラットホームドア装置１，１１を設置するためのプラットホームの補強工事を不要又は低減したり、戸袋部３，４０の据付基礎のボルト強度を低減したりすることができる。
【００５７】
扉部２、戸袋部３，４０では、補強材１０及び扉面材１２、戸袋部面材２６によって枠材が補強される。枠材の補強に使用される部材は、部材数が少なく、かつボルトや接着材を使用した接合によることから、施工性や見栄えがよい。また、扉部２や戸袋部３，４０の強度や剛性を確保できる。その結果、強度や耐久性を確保することが可能となり、プラットホーム３２上の乗客や荷物等による積載荷重や、列車の走行による風圧、振動などに耐え得るようになったり、扉部２の戸袋部３，４０に対する移動をスムーズに行ったりすることもできる。
【符号の説明】
【００５８】
１，１１  プラットホームドア装置
２  扉部
３，４０  戸袋部
４，５  扉横枠材（棒状部材）
６，７  扉縦枠材（棒状部材）
８，９  レール
１０  補強材
１２  扉面材（面材）
１３，１４  戸袋横枠材（棒状部材）
１５，１６  戸袋縦枠材（棒状部材）
１７，４８  補強横材
１８，４９  天板
１９  ローラ
２０  基材
２１  モータ
２２，２４  プーリ
２３  ベルト
２５  制御部
２６  戸袋面材（面材）
２７  ボルト
２８  ワッシャー
２９  ナット
３０，３１  接着材
３２  プラットホーム
３３，３４  ボルト（締結手段）
３５  アジャスタ
３６，５１  開口部
３７  連結枠材
３８  脚部
３９  ラック
４１  非常用扉部
４２  ヒンジ部
４３  支柱部
４４，４５  非常用扉横枠材
４６，４７  非常用扉縦枠材
５０  非常用扉面材
【図１】
0005496946.tif 000002
【図２】
0005496946.tif 000003
【図３】
0005496946.tif 000004
【図４】
0005496946.tif 000005
【図５】
0005496946.tif 000006
【図６】
0005496946.tif 000007
【図７】
0005496946.tif 000008
【図８】
0005496946.tif 000009
【図９】
0005496946.tif 000010